(57)【要約】      （修正有）【課題】自装置の負荷情報をサービス設備側に提示することができる中央監視装置、中央監視システム、および負荷情報提示方法を提供する。【解決手段】中央監視装置１は、自装置の負荷状態を示す現在値を設定された時間帯ごとに計算し、かつ、現在値の変化量に基づいて、時間帯ごとの自装置の将来の負荷状態を示す予測値を計算し、時間帯ごとに計算された現在値と予測値とを第１負荷として出力するように構成された負荷計算部１２と、第１負荷を記憶するように構成された記憶部１５とを備える。中央監視装置１は、記憶部１５に記憶されている第１負荷と時間とが関連付けられた負荷情報を通信回線を介して接続されている機器に提示する提示部１６を更に備える。提示部１６は、予め設定されている自装置で受容される負荷の上限値を負荷情報とともに提示する。【選択図】図１
2020021115.tif 000002
【特許請求の範囲】
【請求項１】
自装置の負荷状態を示す現在値を設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力するように構成された負荷計算部と、
前記第１負荷を記憶するように構成された第１記憶部と、
前記第１記憶部に記憶されている前記第１負荷と時間とが関連付けられた負荷情報を通信回線を介して接続されている機器に提示する提示部と、
を備え、
前記提示部は、予め設定されている前記自装置で受容される負荷の上限値を前記負荷情報とともに提示する
ことを特徴とする中央監視装置。
【請求項２】
請求項１に記載の中央監視装置において、
前記機器から、その機器の管理に関する特定のリクエストを受信するように構成された受信部と、
前記受信部によって受信された前記特定のリクエストの処理に伴い予測される前記自装置の予測負荷状態を示す第２負荷を取得するように構成されたリクエスト負荷予測部と、
前記第１負荷と、前記第２負荷とに基づいて前記受信部によって受信された前記特定のリクエストが処理可能になると予測される時間情報を示す実行可能時間帯を求めるように構成された時間帯演算部と、
をさらに備え、
前記提示部は、前記負荷情報とともに前記時間帯演算部によって求められた前記実行可能時間帯を提示するように構成された時間帯提示部を有する
ことを特徴とする中央監視装置。
【請求項３】
請求項２に記載の中央監視装置において、
前記第１負荷は、前記自装置の処理に伴う負荷状態の現在値と予測値とを示す第３負荷と、前記受信部によって受信され、前記第２負荷を与える前記特定のリクエストとは異なる他のリクエストの処理に伴う負荷状態の現在値と予測値とを示す第４負荷とを含み、
前記提示部は、前記第１負荷に含まれる、前記第３負荷と前記第４負荷とを分類して提示するように構成された負荷種別提示部を有する
ことを特徴とする中央監視装置。
【請求項４】
請求項３に記載の中央監視装置において、
前記第４負荷を有する前記他のリクエストの処理に対して予め設定されている、その処理の実行が許容される時間帯である実行許容時間帯を記憶するように構成された第２記憶部をさらに備えることを特徴とする中央監視装置。
【請求項５】
請求項４に記載の中央監視装置において、
前記第４負荷は、互いに異なる複数の種別の前記他のリクエストの処理に伴う前記自装置の負荷状態を示す複数の第５負荷を含み、
前記第２記憶部は、前記複数の第５負荷のそれぞれを有する前記他のリクエストの処理の前記実行許容時間帯を記憶する
ことを特徴とする中央監視装置。
【請求項６】
請求項５に記載の中央監視装置において、
前記受信部は、前記特定のリクエストとともに前記特定のリクエストが実行される時間の指定を示す指定時間帯を受信し、
前記指定時間帯と前記第２負荷とを関連付けて記憶するように構成された第３記憶部と、
前記実行可能時間帯と前記指定時間帯とに基づいて前記指定時間帯での負荷を調整するように構成された調整部をさらに備える
ことを特徴とする中央監視装置。
【請求項７】
請求項６に記載の中央監視装置において、
前記調整部は、前記指定時間帯に対応する前記実行可能時間帯が存在しない場合に、その旨の通知を出力し、
前記通知を通信回線を介して前記機器に送信するように構成された送信部をさらに備える
ことを特徴とする中央監視装置。
【請求項８】
請求項６項に記載の中央監視装置において、
前記調整部は、前記指定時間帯に対応する前記実行可能時間帯が存在しない場合に、前記複数の第５負荷のそれぞれに対して設定されている前記実行許容時間帯に基づいて、前記複数の第５負荷を有する前記他のリクエストの処理がそれぞれ実行される時間帯を調整し、前記指定時間帯での前記第１負荷と前記第２負荷との合計が前記負荷の上限値以下とすることを特徴とする中央監視装置。
【請求項９】
請求項６または請求項７に記載の中央監視装置において、
前記調整部は、前記指定時間帯に対応する前記実行可能時間帯が存在しない場合に、前記複数の第５負荷のそれぞれに対して設定されている前記実行許容時間帯に基づいて、前記複数の第５負荷を有する前記他のリクエストの処理が実行される時間帯を調整し、前記指定時間帯での前記第１負荷と前記第２負荷との合計が前記負荷の上限値以下とする指示を外部から受け付けることを特徴とする中央監視装置。
【請求項１０】
中央監視装置と、前記中央監視装置と通信回線を介して接続されている機器とを備える負荷情報提示システムであって、
前記中央監視装置は、
自装置の負荷状態を示す現在値を、設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力するように構成された負荷計算部と、
前記第１負荷を記憶するように構成された第１記憶部と、
前記第１記憶部に記憶されている前記第１負荷と時間とが関連付けられた負荷情報を通信回線を介して接続されている前記機器に提示する提示部と、
前記機器から、その機器の管理に関する特定のリクエストを受信するように構成された受信部と、
前記受信部によって受信された前記特定のリクエストの処理に伴い予測される前記自装置の予測負荷状態を示す第２負荷を取得するように構成されたリクエスト負荷予測部と、
前記第１負荷と、前記第２負荷とに基づいて前記受信部によって受信された前記特定のリクエストが処理可能になると予測される時間情報を示す実行可能時間帯を求めるように構成された時間帯演算部と、
を備え、
前記提示部は、前記負荷情報とともに前記時間帯演算部によって求められた前記実行可能時間帯を提示するように構成された時間帯提示部を有し、
前記提示部は、予め設定されている前記自装置で受容される負荷の上限値を前記負荷情報とともに提示し、
前記機器は、
前記特定のリクエストを通信回線を介して前記中央監視装置に送信し、かつ、前記提示部によって提示された前記負荷情報を受信するように構成された通信制御装置と、
前記負荷情報を表示画面に表示するように構成された表示装置と、
を備え、
前記表示装置は、前記負荷情報とともに前記負荷の上限値および前記実行可能時間帯を前記表示画面に表示する
ことを特徴とする負荷情報提示システム。
【請求項１１】
自装置の負荷状態を示す現在値を設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力する負荷計算ステップと、
前記第１負荷を第１記憶部に記憶する第１記憶ステップと、
前記第１記憶部に記憶されている前記第１負荷と時間とが関連付けられた負荷情報を通信回線を介して接続されている機器に提示する提示ステップと、
を備え、
前記提示ステップは、予め設定されている前記自装置で受容される負荷の上限値を前記負荷情報とともに提示する
ことを特徴とする負荷情報提示方法。
【発明の詳細な説明】
【技術分野】
【０００１】
本発明は、中央監視装置、負荷情報提示システム、および負荷情報提示方法に関し、特にリクエストの実行を管理する技術に関する。
【背景技術】
【０００２】
従来より、テナントビル、ホテル、病院などの施設を監視する中央監視システムが広く知られている。このような中央監視システムが備える中央監視装置では、監視や管理、制御機能が定常的に動いており、バックエンド側でデータの収集やポイントの読み書き、警報受信など、様々なタスクを実行している。
【０００３】
こうした状況下で、ビル向けのクラウドサービス業務などを行う新たなサービス設備が中央監視装置にリクエストを送信すると、送信したタイミングによっては、中央監視装置やコントローラに過度な負担をかけてしまう場合がある。このような場合、中央監視装置は正常なレスポンスをリクエストの送信元へ返すことができず、リクエストしたサービスだけでなく中央監視業務にも支障をきたしてしまう場合がある。
【０００４】
そのため、データの収集やポイントの読み書きなどの各サービスの処理に係る機能を有する装置は、中央監視装置に送信するリクエストの送信のタイミングを正時から少しずらしたり、一度にリクエストを送信するのではなく、数回に分けてリクエストを送信する。これにより、中央監視装置に対する負荷が過大とならないようにしている。このような中央監視装置に対する負荷を考慮したリクエストの送信処理に係るシステムの構築は、現場ごとに異なる特性を考慮しなければならず、エンジニアリングに多くの時間を要している。
【０００５】
例えば、特許文献１は、中央監視装置における予測負荷を示す予測負荷データを算出し、中央監視装置でのリクエストの実行可否を判定するシステムを開示している。
【先行技術文献】
【特許文献】
【０００６】
【特許文献１】特許第５６０３８３６号公報
【発明の概要】
【発明が解決しようとする課題】
【０００７】
特許文献１に記載の技術では、中央監視装置において算出された予測負荷データは、リクエストの実行の可否の判定に用いられていたが、中央監視装置の負荷の状態を示す負荷情報をサービス設備に提示することには活用されていなかった。
【０００８】
本発明は、上述した課題を解決するためになされたものであり、自装置の負荷情報をサービス設備側に提示することができる中央監視装置、負荷情報提示システム、および負荷情報提示方法を提供することを目的とする。
【課題を解決するための手段】
【０００９】
上述した課題を解決するために、本発明に係る中央監視装置は、自装置の負荷状態を示す現在値を設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力するように構成された負荷計算部と、前記第１負荷を記憶するように構成された第１記憶部と、前記第１記憶部に記憶されている前記第１負荷と時間とが関連付けられた負荷情報を通信回線を介して接続されている機器に提示する提示部と、を備え、前記提示部は、予め設定されている前記自装置で受容される負荷の上限値を前記負荷情報とともに提示することを特徴とする。
【００１０】
また、本発明に係る中央監視装置において、前記機器から、その機器の管理に関する特定のリクエストを受信するように構成された受信部と、前記受信部によって受信された前記特定のリクエストの処理に伴い予測される前記自装置の予測負荷状態を示す第２負荷を取得するように構成されたリクエスト負荷予測部と、前記第１負荷と、前記第２負荷とに基づいて前記受信部によって受信された前記特定のリクエストが処理可能になると予測される時間情報を示す実行可能時間帯を求めるように構成された時間帯演算部と、をさらに備え、前記提示部は、前記負荷情報とともに前記時間帯演算部によって求められた前記実行可能時間帯を提示するように構成された時間帯提示部を有していてもよい。
【００１１】
また、本発明に係る中央監視装置において、前記第１負荷は、前記自装置の処理に伴う負荷状態の現在値と予測値とを示す第３負荷と、前記受信部によって受信され、前記第２負荷を与える前記特定のリクエストとは異なる他のリクエストの処理に伴う負荷状態の現在値と予測値とを示す第４負荷とを含み、前記提示部は、前記第１負荷に含まれる、前記第３負荷と前記第４負荷とを分類して提示するように構成された負荷種別提示部を有していてもよい。
【００１２】
また、本発明に係る中央監視装置は、前記第４負荷を有する前記他のリクエストの処理に対して予め設定されている、その処理の実行が許容される時間帯である実行許容時間帯を記憶するように構成された第２記憶部をさらに備えていてもよい。
【００１３】
また、本発明に係る中央監視装置は、前記第４負荷は、互いに異なる複数の種別の前記他のリクエストの処理に伴う前記自装置の負荷状態を示す複数の第５負荷を含み、前記第２記憶部は、前記複数の第５負荷のそれぞれを有する前記他のリクエストの処理の前記実行許容時間帯を記憶してもよい。
【００１４】
また、本発明に係る中央監視装置は、前記受信部は、前記特定のリクエストとともに前記特定のリクエストが実行される時間の指定を示す指定時間帯を受信し、前記指定時間帯と前記第２負荷とを関連付けて記憶するように構成された第３記憶部と、前記実行可能時間帯と前記指定時間帯とに基づいて前記指定時間帯での負荷を調整するように構成された調整部をさらに備えていてもよい。
【００１５】
また、本発明に係る中央監視装置は、前記調整部は、前記指定時間帯に対応する前記実行可能時間帯が存在しない場合に、その旨の通知を出力し、前記通知を通信回線を介して前記機器に送信するように構成された送信部をさらに備えていてもよい。
【００１６】
また、本発明に係る中央監視装置は、前記調整部は、前記指定時間帯に対応する前記実行可能時間帯が存在しない場合に、前記複数の第５負荷のそれぞれに対して設定されている前記実行許容時間帯に基づいて、前記複数の第５負荷を有する前記他のリクエストの処理がそれぞれ実行される時間帯を調整し、前記指定時間帯での前記第１負荷と前記第２負荷との合計が前記負荷の上限値以下であってもよい。
【００１７】
また、本発明に係る中央監視装置は、前記調整部は、前記指定時間帯に対応する前記実行可能時間帯が存在しない場合に、前記複数の第５負荷のそれぞれに対して設定されている前記実行許容時間帯に基づいて、前記複数の第５負荷を有する前記他のリクエストの処理が実行される時間帯を調整し、前記指定時間帯での前記第１負荷と前記第２負荷との合計が前記負荷の上限値以下とする指示を外部から受け付けてもよい。
【００１８】
また、本発明に係る負荷情報提示システムは、中央監視装置と、前記中央監視装置と通信回線を介して接続されている機器とを備える負荷情報提示システムであって、前記中央監視装置は、自装置の負荷状態を示す現在値を、設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力するように構成された負荷計算部と、前記第１負荷を記憶するように構成された第１記憶部と、前記第１記憶部に記憶されている前記第１負荷と時間とが関連付けられた負荷情報を通信回線を介して接続されている前記機器に提示する提示部と、前記機器から、その機器の管理に関する特定のリクエストを受信するように構成された受信部と、前記受信部によって受信された前記特定のリクエストの処理に伴い予測される前記自装置の予測負荷状態を示す第２負荷を取得するように構成されたリクエスト負荷予測部と、前記第１負荷と、前記第２負荷とに基づいて前記受信部によって受信された前記特定のリクエストが処理可能になると予測される時間情報を示す実行可能時間帯を求めるように構成された時間帯演算部と、を備え、前記提示部は、前記負荷情報とともに前記時間帯演算部によって求められた前記実行可能時間帯を提示するように構成された時間帯提示部を有し、前記提示部は、予め設定されている前記自装置で受容される負荷の上限値を前記負荷情報とともに提示し、前記機器は、前記特定のリクエストを通信回線を介して前記中央監視装置に送信し、かつ、前記提示部によって提示された前記負荷情報を受信するように構成された通信制御装置と、前記負荷情報を表示画面に表示するように構成された表示装置と、を備え、前記表示装置は、前記負荷情報とともに前記負荷の上限値および前記実行可能時間帯を前記表示画面に表示することを特徴とする。
【００１９】
また、本発明に係る負荷情報提示方法は、自装置の負荷状態を示す現在値を設定された時間帯ごとに計算し、かつ、前記現在値の変化量に基づいて、前記時間帯ごとの前記自装置の将来の負荷状態を示す予測値を計算し、前記時間帯ごとに計算された前記現在値と前記予測値とを第１負荷として出力する負荷計算ステップと、前記第１負荷を第１記憶部に記憶する第１記憶ステップと、前記第１記憶部に記憶されている前記第１負荷と時間とが関連付けられた負荷情報を通信回線を介して接続されている機器に提示する提示ステップと、を備え、前記提示ステップは、予め設定されている前記自装置で受容される負荷の上限値を前記負荷情報とともに提示することを特徴とする。
【発明の効果】
【００２０】
本発明によれば、自装置の負荷状態を示す第１の値と時間とが関連付けられた負荷情報を通信回線を介して接続されている機器に提示するので、中央監視装置の負荷情報を通信回線を介して接続されている機器に提示することができる。
【図面の簡単な説明】
【００２１】
【図１】図１は、本発明の第１の実施の形態に係る中央監視装置の構成を示すブロック図である。
【図２】図２は、本発明の第１の実施の形態に係る中央監視装置のハードウェア構成を示すブロック図である。
【図３】図３は、本発明の第１の実施の形態に係る中央監視装置の動作例を説明するフローチャートである。
【図４】図４は、本発明の第１の実施の形態に係る負荷情報の提示例を示す図である。
【図５】図５は、本発明の第１の実施の形態に係る負荷情報の提示例を示す図である。
【図６】図６は、本発明の第１の実施の形態に係る負荷情報の提示例を示す図である。
【図７】図７は、本発明の第２の実施の形態に係る中央監視装置の構成を示すブロック図である。
【図８】図８は、本発明の第２の実施の形態に係る中央監視装置の動作例を説明するフローチャートである。
【図９】図９は、本発明の第２の実施の形態に係る負荷情報の提示例を示す図である。
【図１０】図１０は、本発明の第２の実施の形態に係る負荷情報の提示例を示す図である。
【図１１】図１１は、本発明の実施の形態に係る機器の構成例を示す図である。
【発明を実施するための形態】
【００２２】
以下、本発明の好適な実施の形態について、図１から図１１を参照して詳細に説明する。
［第１の実施の形態］
図１は、本発明の第１の実施の形態に係る中央監視装置１を備える負荷情報提示システムの構成を示すブロック図である。
【００２３】
図１に示すように、負荷情報提示システムは、中央監視システムおよびサービス設備（機器）を備える。中央監視システムは、中央監視装置１とデータ収集装置１ａとを有する。中央監視システムは、例えば、ビルなどの施設の監視や管理を行う。サービス設備は、データ収集装置２、ポイント操作装置３、および監視装置４を備える。
【００２４】
中央監視装置１は、データ収集装置１ａ、および通信回線Ｌを介して接続されたデータ収集装置２、ポイント操作装置３、および監視装置４などの機器の監視や管理を一元的に行うことができる。
【００２５】
データ収集装置２は、サービス設備や、ビル向けのクラウドサービス業務などの新たなサービス用に設置する装置である。データ収集装置２は、例えば、ユーザによる操作入力があった場合などにデータ収集装置２の管理に関するリクエストが生成され、通信回線Ｌを介して中央監視装置１に送出される。
【００２６】
ここで、リクエストとは、所定の時間内にデータ収集装置２で実行することが要求されるタスクを含む。具体的には、データ収集装置２による直近３０分のデータの収集が挙げられる。
【００２７】
ポイント操作装置３は、施設内に設置された空調機、照明、温度センサなどの監視対象に対する操作を行う。ポイント操作装置３は、例えば、ポイントの現在値取得、ポイント操作などをリクエストとして中央監視装置１に送信する。
【００２８】
監視装置４は、施設内に設置されたセンサなどから警報信号を受信したり、警報出力などを行う。監視装置４は、例えば、警報サマリの収集などをリクエストとして中央監視装置１に送信する。
【００２９】
なお、データ収集装置２、ポイント操作装置３、および監視装置４は、負荷情報提示システムに含まれる機器の一例であり、例えば、施設内に設置された各種サービス設備であってもよい。
また、データ収集装置２、ポイント操作装置３、および監視装置４に例示されるサービス設備などの機器は、中央監視システムの外部において後述する負荷を発生させる装置である。
【００３０】
データ収集装置２、ポイント操作装置３、および監視装置４は、それぞれ図１１に示すようなコンピュータによって実現することができる。例えば、データ収集装置２は、バス２０１を介して接続されるＣＰＵ２０３と主記憶装置２０４とを有する演算装置２０２、通信制御装置２０５、外部記憶装置２０６、入力装置２０７、表示装置２０８等を備えるコンピュータと、これらのハードウェア資源を制御するプログラムによってそれぞれ実現することができる。
【００３１】
なお、図１１では、データ収集装置２の構成例を示しているが、ポイント操作装置３および監視装置４についてもそれぞれ同様の構成を有する。
【００３２】
通信制御装置２０５は、データ収集装置２と各種外部電子機器との間を通信ネットワークＮＷを介して接続するための制御装置である。通信制御装置２０５は、通信ネットワークＮＷを介して中央監視装置１から負荷情報を受信してもよい。また、通信制御装置２０５を介してリクエストが中央監視装置１に送信される。
【００３３】
表示装置２０８は液晶ディスプレイなどの表示画面により実現される。表示装置２０８は、提示部１６が提示する後述の負荷情報などの情報を表示することができる。
【００３４】
［中央監視装置の機能ブロック］
次に、中央監視装置１の機能構成について説明する。図１に示すように、中央監視装置１は、送受信部（受信部、送信部）１０、リクエスト負荷予測部１１、負荷計算部１２、時間帯演算部１３、計時部１４、記憶部（第１記憶部）１５、および提示部１６を備える。中央監視装置１は、データ収集装置１ａと接続されている。
【００３５】
ここで、データ収集装置１ａは、中央監視システム内で後述する負荷を発生させる装置である。データ収集装置１ａは、バスを介して接続されるＣＰＵと主記憶装置とを有する演算装置、通信制御装置、外部記憶装置、入力装置、表示装置等を備えるコンピュータと、これらのハードウェア資源を制御するプログラムによってそれぞれ実現することができる。データ収集装置１ａは、例えば、管理対象の情報をリモート装置（図示しない）から収集し、中央監視装置１に収集された情報を送信し、各種統合制御を行う。
【００３６】
送受信部１０は、通信回線Ｌを介して接続されているデータ収集装置２、ポイント操作装置３、および監視装置４から、これらの機器の管理に関するリクエスト（特定のリクエスト）を受信する。また、後述する提示部１６がデータ収集装置２、ポイント操作装置３、または監視装置４に提示する負荷情報は送受信部１０を介して送信される。
【００３７】
リクエスト負荷予測部１１は、送受信部１０で受信されたリクエストに基づいて、中央監視装置１におけるリクエストの処理に伴い予測される自装置の予測負荷状態を示す第２負荷値を取得する。なお、第２負荷は中央監視システムの外部で発生する負荷を示す。
【００３８】
リクエスト負荷予測部１１は、例えば、記憶部１５に予め記憶されている、中央監視装置１でのリクエストの処理に応じた自装置（中央監視装置１）の予測負荷状態を示す値を参照して、第２負荷を取得してもよい。自装置の予測負荷状態を示す第２負荷としては、ＣＰＵ使用率、メモリ使用率、ディスクＩ／Ｏの使用状況などを用いてもよい。
【００３９】
なお、リクエスト負荷予測部１１は、データ収集装置２、ポイント操作装置３、および監視装置４からリクエストとともに送信される予測負荷状態を示す第２負荷を取得してもよい。この場合、取得された第２負荷は記憶部１５に記憶される。
【００４０】
負荷計算部１２は、自装置の負荷状態を示す値（現在値）を、設定された時間帯ごとに計算する。また、負荷計算部１２は、計算された時間帯ごとの自装置の負荷状態を示す現在値の変化量に基づいて、設定された時間帯ごとの自装置の将来の負荷状態を示す値（予測値）を計算する。負荷計算部１２は、現在値と予測値とを第１負荷として出力する。本実施の形態では、負荷計算部１２が計算して出力する第１負荷には、中央監視システムの内部で発生するデータ収集装置１ａによる負荷と、中央監視システムの外部で発生する負荷とが含まれる。なお、第１負荷の詳細については後述する。
【００４１】
負荷計算部１２は、例えば、ＣＰＵ使用率、メモリ使用率、ディスクＩ／Ｏの使用状況など中央監視装置１のリソースに係る使用率、またはそれらのリソースを総合した指標値を自装置の負荷状態を示す第１負荷として採用してもよい。
【００４２】
負荷計算部１２は、予め設定された時間帯として、例えば、２時間ごとの自装置の負荷状態を示す第１負荷を計算してもよい。負荷計算部１２によって求められた第１負荷は記憶部１５に記憶される。
【００４３】
時間帯演算部１３は、負荷計算部１２によって計算された第１負荷と、リクエスト負荷予測部１１によって求められた予測負荷状態を示す第２負荷とに基づいて、送受信部１０によって受信されたリクエストが中央監視装置１の後述する演算装置１０２において処理可能になると予測される時間情報（以下、「実行可能時間帯」という。）を求める。
【００４４】
計時部１４は、中央監視装置１の内部時計によって実現される。計時部１４によって計時された時刻情報に基づいて、時間帯演算部１３は実行可能時間帯を求める。なお、計時部１４は、中央監視システムおよび負荷情報提示システムの基準時刻として用いられてもよい。
【００４５】
記憶部１５は、リクエスト負荷予測部１１によって求められた予測負荷状態を示す第２負荷、負荷計算部１２によって設定された時間帯ごとに求められた自装置の負荷状態を示す第１負荷、時間帯演算部１３によって求められた実行可能時間帯に関する情報を記憶する。また、記憶部１５は、中央監視装置１が備える後述の演算装置１０２で処理するリクエストの識別情報と実行時間とを関連付けた情報を記憶する。また、記憶部１５は、データ収集装置２、ポイント操作装置３、監視装置４の識別情報やリクエストの識別情報を記憶する。
【００４６】
提示部１６は、時間帯提示部１６０および負荷種別提示部１６１を備える。
提示部１６は、記憶部１５に記憶されている中央監視装置１の第１負荷と時間とが関連付けられた負荷情報を通信回線Ｌを介して接続されているデータ収集装置２、ポイント操作装置３、または監視装置４に提示する。より詳細には、提示部１６は、負荷情報を送受信部１０を介してデータ収集装置２などのリクエスト送信元の機器に送信する。
【００４７】
提示部１６によって提示される負荷情報は、自装置の負荷状態を示す第１負荷が設定された時間帯ごとに示された情報である。設定された時間帯として、負荷計算部１２で用いたものと同じ時間帯を用いてもよい。また、提示部１６は、予め設定された、中央監視装置１で許容される負荷の上限値を負荷情報とともに提示する。なお、提示部１６が提示する負荷情報の具体例は後述する。
【００４８】
時間帯提示部１６０は、負荷情報とともに時間帯演算部１３によって求められた第２負荷を与えるリクエストの実行可能時間帯を提示する。
【００４９】
負荷種別提示部１６１は、第１負荷に含まれる、自装置の処理に伴う第３負荷と、送受信部１０で受信されたリクエスト（特定のリクエスト）の処理とは異なる他のリクエストの処理に伴う第４負荷とを分類して提示する。第１負荷は、第３負荷と第４負荷との合計値である。なお、第３負荷は、前述のデータ収集装置１ａによる中央監視システム内で発生する負荷である。第４負荷は、サービス設備により中央監視システムの外部で発生する負荷である。
【００５０】
負荷種別提示部１６１は、中央監視システム内で発生するデータ収集装置１ａによる負荷である第３負荷と、他のリクエストの処理に伴う負荷状態の現在値と予測値とを示す第４負荷とを識別可能に区別して通信回線Ｌを介して接続されているデータ収集装置２に提示する。
【００５１】
［中央監視装置のハードウェア構成］
次に中央監視装置１のハードウェア構成について図２を参照して説明する。
【００５２】
中央監視装置１は、バス１０１を介して接続されるＣＰＵ１０３と主記憶装置１０４とを有する演算装置１０２、通信制御装置１０５、外部記憶装置１０６、入力装置１０７、表示装置１０８等を備えるコンピュータと、これらのハードウェア資源を制御するプログラムによって実現することができる。
【００５３】
ＣＰＵ１０３と主記憶装置１０４とは、演算装置１０２を構成する。主記憶装置１０４には、ＣＰＵ１０３がリクエストの処理など各種制御や演算を行うためのプログラムが予め格納されている。演算装置１０２によって、各種リクエストの処理が行われる。
【００５４】
通信制御装置１０５は、中央監視装置１と各種外部電子機器との間を通信ネットワークＮＷを介して接続するための制御装置である。通信制御装置１０５は、通信ネットワークＮＷを介してデータ収集装置２からリクエストや、リクエストに伴って収集されたデータなどを受信してもよい。通信制御装置１０５によって、図１で説明した送受信部１０が実現される。
【００５５】
外部記憶装置１０６は、読み書き可能な記憶媒体と、その記憶媒体に対してプログラムやデータなどの各種情報を読み書きするための駆動装置とで構成されている。外部記憶装置１０６には、記憶媒体としてハードディスクやフラッシュメモリなどの半導体メモリを使用することができる。外部記憶装置１０６は、中央監視装置１における負荷状態を示す第１負荷、リクエストの処理に伴う中央監視装置１での予測負荷状態を示す第２負荷、リクエストの識別情報、データ収集装置２などの機器の識別情報をそれぞれ記憶する記憶部、プログラム格納部、図示しないその他の格納装置で、例えば、この外部記憶装置１０６内に格納されているプログラムやデータなどをバックアップするための格納装置などを有することができる。
【００５６】
外部記憶装置１０６は、図１で説明した記憶部１５を実現する。外部記憶装置１０６が備えるプログラム格納部には、本実施の形態におけるリクエストの受信処理、リクエストの処理に伴う負荷予測処理、自装置の負荷計算処理、実行可能時間帯の演算処理など、中央監視装置１が負荷情報の提示処理を行うのに必要な演算処理を実行するための各種プログラムが格納されている。
【００５７】
入力装置１０７は、キーボード、マウス、タッチパネルなどにより構成される。入力装置１０７は、操作者のキー入力、アイコンなどのクリック、タッチパネルのタッチ位置に対応した機能や操作入力を受け付ける。
【００５８】
表示装置１０８は液晶ディスプレイなどによって実現される。表示装置１０８は、提示部１６が提示する負荷情報を表示することができる。
【００５９】
［中央監視装置の動作］
次に、上述した構成を有する中央監視装置１の動作例について、図３のフローチャートを参照して説明する。
【００６０】
まず、負荷計算部１２は、設定された時間帯ごと、例えば２時間ごとの自装置の負荷状態を示す第１負荷を計算する（ステップＳ１）。負荷計算部１２によって求められた第１負荷は時間帯を示す情報とともに記憶部１５に記憶される。第１負荷は、設定された時間帯ごとに計算された現在の負荷状態を示す現在値と、現在値の変化量に基づく将来の負荷状態を示す予測値とを含む。また、第１負荷には、中央監視システム内外のそれぞれで発生する負荷が含まれる。
【００６１】
次に、送受信部１０は、例えば、データ収集装置２から送られてきたリクエストを通信回線Ｌを介して受信する（ステップＳ２）。その後、リクエスト負荷予測部１１は、受信された特定のリクエストに基づいて、そのリクエストの処理に伴う自装置での予測負荷状態を示す第２負荷を求める（ステップＳ３）。
【００６２】
より詳細には、リクエスト負荷予測部１１は、記憶部１５に予め記憶されている、中央監視装置１において特定のリクエストの処理を実行した場合の自装置での負荷状態を示す値を参照して予測負荷状態を示す第２負荷を取得する。
【００６３】
次に、時間帯演算部１３は、ステップＳ１で算出された第１負荷と、ステップＳ３で予測された特定のリクエストの処理に伴う自装置の予測負荷状態を示す第２負荷とに基づいて、中央監視装置１の負荷状況に応じたリクエストの実行可能な実行可能時間帯を求める（ステップＳ４）。
【００６４】
より詳細には、時間帯演算部１３は、各時間帯ごとの第１負荷と、リクエストの処理に伴う第２負荷との合計が、予め設定されている負荷の上限値以下となる時間帯を、リクエストの実行が可能な実行可能時間帯として求める。時間帯演算部１３によって求められた実行可能時間帯は記憶部１５に記憶される。
【００６５】
次に、提示部１６は、記憶部１５に記憶されている、ステップＳ１で計算された第１負荷と時間とが関連付けられた負荷情報を通信回線Ｌを介して接続されているデータ収集装置２に提示する（ステップＳ５）。
【００６６】
図４は、提示部１６によって提示された負荷情報の例を示す図である。負荷情報は、通信回線Ｌを介して、例えば、データ収集装置２の表示装置２０８に表示される。図４に示すように、負荷情報は、例えば、横軸として２時間ごと２４時間の範囲で示され、縦軸には、中央監視装置１の負荷状態の値が示されたヒストグラムとして表示される。なお、図４に示す時間帯ごとの第１負荷には、データ収集装置１ａにより発生した負荷である（自装置のタスクなどの処理に伴う負荷）第３負荷、およびデータ収集装置２などの機器からの他のリクエストの処理に伴う負荷である第４負荷の両方が含まれる。
【００６７】
また、図４に示すように負荷情報とともに中央監視装置１における予め設定された負荷の上限値が負荷「９０％」と示されている。
【００６８】
図３に戻り、時間帯提示部１６０は、ステップＳ４で求められた実行可能時間帯を、ステップＳ５で提示した負荷情報とともに、データ収集装置２に提示する（ステップＳ６）。
【００６９】
図５は、時間帯提示部１６０によって提示される実行可能時間帯の例を示す図である。図５に示すように、第２負荷と第１負荷との合計が負荷の上限値以下となる時間帯が実行可能時間帯として示されている。図５においては、「６：００−８：００」、［１６：００−１８：００］、および「２０：００−２２：００」の３つの時間帯が実行可能時間帯として第２負荷とともにデータ収集装置２の表示装置２０８に表示されている。
【００７０】
次に、負荷種別提示部１６１は、ステップＳ５で提示された負荷情報とともに負荷の種別を分類して提示する（ステップＳ７）。例えば、負荷種別提示部１６１は、記憶部１５に記憶されている、自装置の演算装置１０２によって処理されるリクエストの識別情報、および予め設定されて記憶部１５に記憶されているリクエストの実行を開始する予測時刻とが関連付けられた情報に基づいて、負荷の種別を分類してもよい。
【００７１】
負荷種別提示部１６１は、時間帯ごとの負荷状態を示す第１負荷のうち、データ収集装置１ａにより発生した負荷を示す第３負荷と、サービス設備であるデータ収集装置２、ポイント操作装置３、監視装置４からのリクエスト（他のリクエスト）の処理に伴う負荷である第４負荷とを分類して提示する。他のリクエストとは、ステップＳ３で送受信部１０によりデータ収集装置２から受信されたリクエスト（特定のリクエスト）とはその種別などが異なるリクエストである。
【００７２】
図６は、負荷種別提示部１６１によって分類されて提示される負荷情報の例を示す図である。図６に示すように、時間帯ごとの第１負荷を示す負荷情報において、データ収集装置１ａにより発生した負荷（第３負荷）と他のリクエストの処理に伴う負荷（第４負荷）とが識別可能な形態でデータ収集装置２の表示装置２０８に表示されている。
【００７３】
以上説明したように、第１の実施の形態に係る中央監視装置１によれば、自装置の負荷状態を示す第１負荷と時間とが関連付けられた負荷情報を通信回線Ｌを介して接続されたデータ収集装置２に提示するので、サービス設備側の機器であるデータ収集装置２において中央監視装置１の負荷情報を確認することができる。
【００７４】
また、中央監視装置１は、受信したリクエストが自装置の負荷に余裕がある時間帯を示す実行可能時間帯を提示するので、サービス設備側においてリクエストが処理可能な時間帯を確認することができる。
【００７５】
また、中央監視装置１は、提示する負荷情報において、データ収集装置１ａにより発生する第３負荷と、サービス設備における他のリクエストの処理に伴う第４負荷とを分類して提示するので、サービス設備側において、他のリクエストによる負荷の状況を把握することができる。
【００７６】
［第２の実施の形態］
次に、本発明の第２の実施の形態について説明する。なお、以下の説明では、上述した第１の実施の形態と同じ構成については同一の符号を付し、その説明を省略する。
【００７７】
第１の実施の形態では、中央監視装置１は、受信したリクエストが自装置において処理可能となる実行可能時間帯を負荷情報とともに提示する場合について説明した。これに対し、第２の実施の形態に係る中央監視装置１Ａは、調整部１７をさらに備える。調整部１７は、リクエストが実行される時間の指定を示す指定時間帯と実行可能時間帯とに基づいて、受信したリクエストが指定時間帯で実行できるように負荷の調整を行う。
【００７８】
また、本実施の形態では、時間帯ごとの自装置の負荷状態を示す第１負荷に含まれる他のリクエストの処理に伴う第４負荷には、第４負荷で与えられる他のリクエストの処理の実行が許容される時間帯である実行許容時間帯が予め設定されている。
【００７９】
なお、本実施の形態では、自装置の処理に伴う負荷、すなわち、データ収集装置１ａによって中央監視システム内で発生する第３負荷で与えられる処理については、実行時間の調整を行うことができないものとする。
【００８０】
また、他のリクエストの処理に伴う第４負荷は、複数の第５負荷の合計値である。この複数の第５負荷は、例えば、ポイント操作装置３や監視装置４などから送信された、互いに異なる複数の種別の他のリクエストの処理に伴う自装置の予測負荷状態を示す値である。また、複数の第５負荷を有する複数の他のリクエストは、送受信部１０によって受信された第２負荷を与えるリクエスト（特定のリクエスト）とは種別などが異なる。また、複数の第５負荷を有するリクエストのそれぞれには、その第５負荷で与えられる他のリクエストの処理の実行が許容される時間帯である実行許容時間帯が予め設定されている。以下、第１の実施の形態と異なる構成を中心に説明する。
【００８１】
図７は、第２の実施の形態に係る中央監視装置１Ａを備える負荷情報提示システムの構成を示す機能ブロック図である。図７に示すように、中央監視装置１Ａは、調整部１７をさらに有する。中央監視装置１Ａが備えるその他の機能構成は第１の実施の形態と同様である。
【００８２】
本実施の形態では、送受信部１０は、通信回線Ｌを介して接続されているデータ収集装置２から、リクエストとともに、そのリクエストが実行される時間の指定を示す指定時間帯を受信する。なお、指定時間帯は、時刻を指定するものであってもよい。
【００８３】
記憶部（第３記憶部）１５は、送受信部１０が受信した指定時間帯とリクエストを示す情報とを関連付けて記憶する。記憶部１５は、例えば、指定時間帯と、第２負荷の値と、リクエストの識別情報とを互いに関連付けて記憶する。
また、記憶部（第２記憶部）１５は、第４負荷で与えられる他のリクエストの処理に対して予め設定されている、その他のリクエストの処理の実行が許容される時間帯である実行許容時間帯を記憶する。また、記憶部１５は、第４負荷を含む複数の第５負荷のそれぞれに対して予め設定されている実行許容時間帯を記憶する。
【００８４】
調整部１７は、時間帯演算部１３によって求められたリクエストの処理が可能となる実行可能時間帯と、送受信部１０で受信された指定時間帯とに基づいて自装置の負荷を調整する。
【００８５】
より詳細には、調整部１７は、指定時間帯に対応する実行可能時間帯が存在しない場合に、指定時間帯での第１負荷と第２負荷との合計が負荷の上限値以下となるように負荷を調整する。
【００８６】
例えば、調整部１７は、指定時間帯に対応する実行可能時間帯が存在しない場合において、複数の第５負荷のそれぞれに対して設定されている実行許容時間帯と、指定時間帯とに基づいて、複数の第５負荷で与えられる他のリクエストの処理がそれぞれ実行される時間帯を調整する。そして、調整部１７は、指定時間帯での第１負荷と第２負荷との合計および他の時間帯での負荷の合計が負荷の上限値以下となるようにする。
【００８７】
［中央監視装置の動作］
次に、本実施の形態に係る中央監視装置１Ａの動作について図８のフローチャートを用いて説明する。
まず、負荷計算部１２は、設定された時間帯ごとの自装置の負荷状態を示す第１負荷を計算する（ステップＳ２０）。算出された負荷状態を示す第１負荷は記憶部１５に記憶される。なお、負荷計算部１２は、時間帯ごとに計算した負荷状態を示す現在値と、その変化量に基づいて時間帯ごとに算出した自装置の将来の負荷状態を示す予測値とを第１負荷として出力する。
【００８８】
次に、送受信部１０は、通信回線Ｌを介して接続されている機器、例えば、データ収集装置２から、リクエストとそのリクエストが実行される時間の指定を示す指定時間帯とを受信する（ステップＳ２１）。例えば、リクエストとしては「室内温度の取得」、指定時間帯としては「０：００−４：００」などが挙げられる。
【００８９】
次に、リクエスト負荷予測部１１は、受信されたリクエストの処理に伴う自装置における予測負荷状態を示す第２負荷を取得する（ステップＳ２２）。より詳細には、リクエスト負荷予測部１１は、記憶部１５に予め記憶されているリクエストの識別情報と関連付けられている予測負荷状態を示す第２負荷を取得してもよい。
【００９０】
次に、時間帯演算部１３は、受信されたリクエストが自装置において実行可能となる実行可能時間帯を求める（ステップＳ２３）。より詳細には、時間帯演算部１３は、ステップＳ２０で計算された自装置の負荷状態を示す第１負荷と、ステップＳ２２で求められたリクエストの処理に伴う予測負荷状態を示す第２負荷との合計が、負荷の上限値以下となる時間帯を実行可能時間帯として求める。
【００９１】
その後、調整部１７は、指定時間帯に対応する実行可能時間帯が存在しない場合に（ステップＳ２４：ＮＯ）、負荷の調整を行う（ステップＳ２５）。
【００９２】
より詳細には、調整部１７は、複数の他のリクエストの処理に伴う自装置の負荷である複数の第５負荷のそれぞれに対して設定されている実行許容時間帯に基づいて、指定時間帯でリクエストが実行できるように、複数の第５負荷の実行時間を実行許容時間帯の範囲で入れ替えを行う。そして、調整部１７は、指定時間帯でリクエストの処理を実行する場合の各時間帯における負荷の合計が、負荷の上限値以下となるように負荷の調整を行う。すなわち、調整部１７は、指定時間帯において第１負荷と第２負荷との合計が負荷の上限値以下となるように負荷の調整を行う。
【００９３】
ここで、図９および図１０は、提示部１６によって提示される負荷情報の例を示している。図９は、調整部１７による負荷および時間帯を調整する前の負荷情報を示している。また、図１０は、調整部１７による調整後の負荷情報を示している。
【００９４】
図９に示すように、例えば、送受信部１０で受信したリクエスト（第２負荷）の指定時間帯が「０：００−４：００」である場合に、時間帯「２：００−４：００」にリクエストを実行する場合を考える。この場合、時間帯「２：００−４：００」における自装置の負荷である第１負荷（第３負荷と第５負荷とを含む）と第２負荷との合計が負荷の上限値を上回る。
【００９５】
ここで、０：００時台の「ａ」で示す第５負荷の実行許容時間帯が「０：００−４：００」であるとする。この場合、第５負荷「ａ」の実行時間を２：００時台に変更する。そして、送受信部１０で受信したリクエスト（第２負荷）を指定時間帯に応じて「０：００−２：００」に変更する。これにより、図１０に示すように、指定時間帯「０：００−４：００」および他の時間帯のそれぞれにおいて、負荷の合計が上限値以下となる。
【００９６】
図８のフローチャートに戻り、提示部１６は、負荷計算部１２によって計算された第１負荷、およびリクエスト負荷予測部１１によって取得された第２負荷を含む負荷情報を通信回線Ｌを介して接続されているデータ収集装置２などのリクエストの送信元に提示する（ステップＳ２６）。より詳細には、時間帯提示部１６０は、負荷情報とともに実行可能時間帯および負荷の上限値を提示してもよい。
【００９７】
次に、負荷種別提示部１６１は、ステップＳ２６で提示する負荷情報とともに、負荷の種別を識別可能に区別して提示する（ステップＳ２７）。例えば、提示部１６は、図９に示す調整部１７による調整前の負荷情報および図１０に示す調整後の負荷情報の両方を提示してもよい。
【００９８】
なお、上述した実施の形態では、中央監視装置１Ａにおいてデータ収集装置２からのリクエストおよび指定時間帯を受信すると、図８に示した各フローに従って自動的に、リクエストが実行される時間帯および負荷の調整が行われる場合について説明した。しかし、調整部１７は、例えば、ステップＳ２４において、指定時間帯に対応する実行可能時間帯が存在しない場合（ステップＳ２４：ＮＯ）、すなわち、リクエストの第２負荷と自装置の負荷である第１負荷との合計が上限値を上回る場合に、その旨の通知をデータ収集装置２に送信してもよい。より詳細には、送受信部（送信部）１０が、調整部１７によって生成された通知を通信回線Ｌを介してデータ収集装置２に送信する。
【００９９】
この場合、ステップＳ２５を省略してステップＳ２６およびステップＳ２７を実行し、図９に示す負荷情報をデータ収集装置２に提示する。
そして、データ収集装置２側においてリクエストの実行時間および他のリクエストが実行される時間帯を変更する指示が受け付けられ、通信回線Ｌを介して中央監視装置１Ａに送信される。この指示に基づいて、中央監視装置１Ａは、リクエストを実行する時間帯および負荷の調整を行うことができる。
【０１００】
以上説明したように、第２の実施の形態によれば、中央監視装置１Ａは、受信したリクエストの指定時間帯と実行可能時間帯とに基づいて、指定時間帯および他の時間帯での負荷の合計が負荷の上限値以下となるように負荷を調整する。さらに、調整後の負荷情報を通信回線Ｌを介して接続されているデータ収集装置２に提示する。そのため、サービス設備側であるデータ収集装置２において調整前後の負荷情報を確認することができる。
【０１０１】
また、中央監視装置１Ａは、中央監視システム内で発生したデータ収集装置１ａによる第３負荷の調整ができない場合であっても、中央監視システム外部で発生したサービス設備からの他のリクエストの処理に伴う複数の第５負荷を調整することで、受信した特定のリクエストを含む負荷の調整を行うことができる。
【０１０２】
また、データ収集装置２側において、調整前の負荷情報を含む通知を受信することで、負荷情報の確認および調整に関する指示を中央監視装置１Ａへ送信することが可能となる。
【０１０３】
以上、本発明の中央監視装置、負荷情報提示システム、および負荷情報提示方法における実施の形態について説明したが、本発明は説明した実施の形態に限定されるものではなく、請求項に記載した発明の範囲において当業者が想定し得る各種の変形を行うことが可能である。
【符号の説明】
【０１０４】
１、１Ａ…中央監視装置、１ａ、２…データ収集装置、３…ポイント操作装置、４…監視装置、１０…送受信部、１１…リクエスト負荷予測部、１２…負荷計算部、１３…時間帯演算部、１４…計時部、１５…記憶部、１６…提示部、１７…調整部、１０１、２０１…バス、１０２、２０２…演算装置、１０３、２０３…ＣＰＵ、１０４、２０４…主記憶装置、１０５、２０５…通信制御装置、１０６、２０６…外部記憶装置、１０７、２０７…入力装置、１０８、２０８…表示装置、１６０…時間帯提示部、１６１…負荷種別提示部、Ｌ…通信回線。
【図１】
2020021115.tif 000003
【図２】
2020021115.tif 000004
【図３】
2020021115.tif 000005
【図４】
2020021115.tif 000006
【図５】
2020021115.tif 000007
【図６】
2020021115.tif 000008
【図７】
2020021115.tif 000009
【図８】
2020021115.tif 000010
【図９】
2020021115.tif 000011
【図１０】
2020021115.tif 000012
【図１１】
2020021115.tif 000013